(57)【特許請求の範囲】
【請求項１】
出入り口部に回転自在に配設される回転ドア装置を、
出入り口部の天井部、床部にそれぞれ回転自在に支持される上下一対の回転体と、
これら上下の回転体にそれぞれ設けられる上下複数のパネル支持体と、
前記上下のパネル支持体に上下縁部がそれぞれ支持される内外径方向を向いていて出入り口部を放射状に仕切る複数のパネル体とを備えて構成するにあたり、
上下パネル支持体は板材であり、
上側パネル支持体は、上側回転体から天井面よりも下方に垂れ下がった状態で外径方向に放射状に延出して形成され、
下側パネル支持体は、下側回転体から床面よりも上方に立上がった状態で外径方向に放射状に延出して形成されたものとし、
前記複数のパネル体は、その内径側部位において、上下縁部に一体化して配した上下框材を介して上下のパネル支持体を天井面よりも下側位置、床面よりも上側位置でそれぞれ内装支持して固定されるものとし、
前記各上下框材は、内径側端面が内径端側ほど幅狭になった傾斜状部を備え、前記パネル体の内径側端縁部において、各上下框材の傾斜状部同志が互いに嵌め合うようにして突合せ状に近接対向している回転ドア装置。
【請求項２】
請求項１において、パネル体の上下縁部に配置された各上下框材の内径側部位には、パネル支持体に対して水平方向にスライド嵌合する支持受け体が設けられている回転ドア装置。
【発明の詳細な説明】
【技術分野】
【０００１】
本発明は、例えばホテルやデパート等のビルの出入り口部に設けられる回転ドア装置の技術分野に属するものである。
【背景技術】
【０００２】
一般に、この種回転ドア装置は、出入り口部の中央部に位置して、上端部を天井部に、下端部を床部に回転自在に軸承させたセンターコアを設け、該センターコアに、センターコアを軸芯とする状態で複数のパネル体を設けて、電動モータ等の駆動力を用いてセンターコアを回転させることに伴い、各パネル体が回転するように構成したものが知られている。
【０００３】
このような回転ドア装置では、各パネル体は、センターコアの外周面から放射状に配設されるべく、各パネル体の中心側に位置する上下方向に長い縁部がセンターコアに連結されるように構成されている。
【特許文献１】実公昭５３−２２４６９号公報
【発明の開示】
【発明が解決しようとする課題】
【０００４】
ところが、前記従来のものは、センターコアが開口部中央に位置して設けられているため、屋内外方向の見通しが悪くなるうえ、意匠性に劣るという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、出入り口部に回転自在に配設される回転ドア装置を、出入り口部の天井部、床部にそれぞれ回転自在に支持される上下一対の回転体と、これら上下の回転体にそれぞれ設けられる上下複数のパネル支持体と、前記上下のパネル支持体に上下縁部がそれぞれ支持される内外径方向を向いていて出入り口部を放射状に仕切る複数のパネル体とを備えて構成するにあたり、上下パネル支持体は板材であり、上側パネル支持体は、上側回転体から天井面よりも下方に垂れ下がった状態で外径方向に放射状に延出して形成され、下側パネル支持体は、下側回転体から床面よりも上方に立上がった状態で外径方向に放射状に延出して形成されたものとし、前記複数のパネル体は、その内径側部位において、上下縁部に一体化して配した上下框材を介して上下のパネル支持体を天井面よりも下側位置、床面よりも上側位置でそれぞれ内装支持して固定されるものとし、前記各上下框材は、内径側端面が内径端側ほど幅狭になった傾斜状部を備え、前記パネル体の内径側端縁部において、該傾斜状部同志が互いに嵌め合うようにして突合せ状に近接対向している回転ドア装置である。
請求項２の発明は、請求項１において、パネル体の上下縁部に配置された各上下框材の内径側部位には、パネル支持体に対して水平方向にスライド嵌合する支持受け体が設けられている回転ドア装置である。
【発明の効果】
【０００６】
請求項１の発明とすることにより、出入り口部にセンターコアが存在することがなくなって、見通しのよい回転ドア装置とすることができ、意匠性に優れた回転ドア装置を提供することができる。
請求項２の発明とすることにより、現場での取り付けの際に、作業性よく取り付けることができる。
【発明を実施するための最良の形態】
【０００７】
次ぎに、本発明の実施の形態について、図面に基づいて説明する。
図中、１は回転ドア装置であって、該回転ドア装置１は、躯体の屋内外を仕切る部位に円筒状の筒壁体２により囲繞された空間（出入り口部）に設けられており、前記筒壁体２の直径方向に対向する屋内外二箇所には、人が出入りするための通路部２ａ、２ｂがそれぞれ形成されている。
【０００８】
３は出入り口部の床部に設けられる下側回転体ユニットであって、該下側回転体ユニット３は、筒壁体２（出入り口部）の軸芯と同芯となる位置関係で配設されており、ここに、出入り口部を放射状に仕切るべく内外径方向を向いて配設される四枚のパネル体４の下側縁部が支持されるように設定されている。
つまり、下側回転体ユニット３は、有底筒状に形成された支持プレート５を備えて構成されているが、該支持プレート５は、筒開口端縁５ａが床面Ｆと面一状となる位置関係で床部に埋設されている。前記支持プレート５の筒底面５ｂには軸受プレート６が固定されており、該軸受プレート６に、上方に向けて突出する筒状の軸受部６ａが筒壁体２と同芯となる位置関係で一体形成されている。
【０００９】
７は本発明の下側の回転体に相当する円板状の下側回転プレートであって、該下側回転プレート７は、下面に凹部７ａが形成され、該凹部７ａに、下側支軸８の先端部が一体的に固着されている。この下側支軸８は、基端部が前記軸受プレート軸受部６ａに軸受６ｂを介して軸承されるように設定されており、これによって、下側回転プレート７は、支持プレート５に回転自在となる状態で支持されるが、このとき、下側回転プレート７は支持プレート５の筒内に遊嵌され、上側外周縁部から外径側に突出形成されたリブ７ｂが、支持プレート５の筒開口端縁５ａの上方に所定間隙を存して位置するように設定されている。
尚、５ｃは下側回転プレート７の外周と支持プレート５の筒内周面とのあいだに配されて支持プレート５側にゴミが浸入するのを防止するリング状のダストリング、５ｄはダストリング５ｃから上方に突出状に配されて下側回転プレートリブ７ｂとのあいだを封止する封止体（フェルト）である。
【００１０】
さらに、下側回転プレート７のプレート面には、凹部７ａを軸芯とする放射状の貫通孔７ｃが周回り方向に四つ形成されており、これらに、本発明が実施された下側のパネル支持体９が一体的に設けられ、下側回転プレート７とともに支持プレート５に対して回転するように構成されている。前記各下側パネル支持体９は、金属製板材で構成されており、図２、図４に示すように、下側回転プレート貫通孔７ｃに嵌入する嵌入片９ａと、該嵌入片９ａの上方から床面Ｆよりも上方に立上がったものが、外径側にわたって延出する状態のパネル連結片９ｂとを備えて構成されており、パネル連結片９ｂには水平方向に並列して三つの貫通孔９ｃが開設されている。尚、本実施の形態の下側パネル支持体９は、径方向に対向する二つの下側パネル支持体９が一体に形成されたもの（図５参照）を、中心部において互いに直交状にクロスさせるようにして組み込み、このもを、パネル連結片９ｂが下側回転プレート７上に載置させる状態で嵌入片９ａを下側回転プレート貫通孔７ｃにそれぞれ嵌入せしめ、下側回転プレート貫通孔７ｃ周縁において溶着等の手段を施すことにより回転プレート７に一体固定されている。
【００１１】
一方、出入り口部の天井部には、上側回転体ユニット１０が設けられているが、該上側回転体ユニット１０は、筒壁体２（出入り口部）の軸芯、および、下側回転体ユニット３と同芯となる位置関係で配設されており、ここに、出入り口部を放射状に仕切るべく配設される四枚のパネル体４の上側縁部が支持されるように設定されている。
前記上側回転体ユニット１０は、本発明の上側の回転体に相当する上側回転プレート１１を備えて構成されており、該上側回転プレート１１は、円板状に形成されており、天井部に形成された凹部に下側回転プレート７と同芯状で、かつ、回転自在に設けられ、さらには、上側回転プレート１１の下面が天井部天井面Ｃと略面一となるようにして配設されている。前記上側回転プレート１１は、軸芯部に上側に突出するボス筒部１１ａが形成されており、該ボス筒部１１ａに、上側支軸１２の基端部が回り止め状（一体的）に嵌入されており、上側支軸１２の先端部は、ボス筒部１１ａから上方に突出配設されている。そして、該上側支軸１２の突出する先端部にはギア１２ａが刻設され、該ギア１２ａ部位が、天井部を構成する構造部材に固定された電動モータ１３に連動連結されており、これによって、電動モータ１３の回転駆動力が上側支軸１２を介して上側回転プレート１１に入力し、該上側回転プレート１１が回転駆動するように構成されている。
【００１２】
前記上側回転プレート１１は、プレート面にボス筒部１１ａを軸芯とする放射状の貫通孔１１ｂが周回り方向に四つ形成されており、これらに、本発明が実施された上側のパネル支持体１４が一体的に設けられ、上側回転プレート１１とともに天井部５に対して回転するように構成されている。前記各上側パネル支持体１４は金属製板材で形成され、図２、図９に示すように、上側回転プレート貫通孔１１ｂに嵌入する嵌入片１４ａ、該嵌入片１４ａの下方から天井面Ｃよりも下方に垂れ下がったものが、外径側にわたって延出する状態のパネル連結片１４ｂとを備えて構成されていることは、前記下側パネル支持体９と同様の構成となっている。そして、上側パネル支持体１４は、パネル連結片１４ｂに形成される水平方向に並んだ三つの貫通孔１４ｃが長孔状に形成されており、後述するように、パネル体４上下側のパネル支持体９、１４に組み込むときに、上下方向の取り付け誤差の調整ができるように設定されている。尚、上側パネル支持体１４についても、下側パネル支持体９と同様に、径方向に対向する二つの上側パネル支持体１４が一体に形成されたもの（図１０参照）を、中心部において互いに直交状にクロスさせるようにして上側回転プレート１１に組み込まれ、溶着等の手段により固定される構成となっている。
【００１３】
前記パネル体４は、矩形状のガラス材４ａの上下縁部に框材１５が配されたものに構成されており、従来のもののように、パネル体４の内径側（出入り口部の軸芯側）の縁部と外径側の縁部に框材が設けられておらず、ガラス体４ａにより見通しのよいものになっている。ここで、ガラス材４ａと框材１５とは、接着材を用いて一体化されたものとなっている。
さらに、各パネル体４上下の内径側部位には、各パネル体４を前記上下側回転体ユニット３、１０の上下側パネル支持体９、１４を床面Ｆよりも上側位置、天井面Ｃよりも下側位置で連結するための上下側の支持受け体１６、１７がそれぞれ設けられているが、これら上下側パネル支持体９、１４は、各框材１５の内径側部位（出入り口部の軸芯側部位）に内装される状態で配設されている。
前記下側支持受け体１７は、下側パネル支持体９のパネル連結片９ｂよりも水平方向に長く形成されており、内径側端面と下面部とが開口する嵌入凹部１７ａが形成されている。そして、嵌入凹部１７ａの内径側部位を下側のパネル連結片９ｂの外径側部位にあてがい、内径側にスライドさせることで下側パネル連結片９ｂが嵌入凹部１７ａに内嵌組み込みされるように構成されている。さらに、下側支持受け体１７には、パネル連結片９ｂに開設された貫通孔９ｃに連通する貫通孔１７ｂが形成されており、嵌入凹部１７ａに下側のパネル連結片９ｂを嵌入した状態においてこれら貫通孔１７ｂ、９ｃを位置合せしてボルトナット１８を締結することにより、下側パネル支持体１７とパネル体４の下側縁部である下側支持受け体１７とを一体化できるように設定されている。
【００１４】
一方、上側支持受け体１６は、前記下側支持受け体１７と上下対称となるよう、内径側端面と上側面とが開口する嵌入凹部１６ａが形成されており、貫通孔１６ｂについては、上側のパネル連結片１４ｂの貫通孔１４ｃと同様に長孔形状に形成されている。そして、上側支持受け体１６についても、上側支持受け体嵌入凹部１６ｃを上側のパネル連結片１４ｂにあてがい内径側にスライド嵌入することで上側支持受け体１６とパネル連結片１４ｂとを一体化できるように設定されている。
このように構成された上下側支持受け体１６、１７が取り付けられたパネル体4は、予め出入り口部に設けられた上下側回転体ユニット１０、３の各パネル連結片１４ｂ、９ｂに対して嵌入凹部１６ａ、１７ａをあてがい、パネル体４を内径側に押しやり、ボルトナット１８により締結することで組み込まれるように設定されている。そして、このとき、上側についてはパネル連結片１４ｂと嵌入凹部１６ａとに形成される貫通孔１４ｃ、１６ｂが長孔形状になっており、このため、下側パネル支持体９と下側支持受け体１７とを位置合せして固定することにより生じる取り付け誤差を、上側パネル連結片１４ｂと上側支持受け体嵌入凹部１６ｃとの連結により吸収できるように構成されている。
【００１５】
さらに、各パネル体４における上下の框材１５の内径側端面には、図１４に示すように、内径端側ほど肉薄になった傾斜状部１５ａ部がそれぞれ形成されていて、互いに嵌め合う突合せ状態で近接状に対向配設する構成となっている。尚、各パネル体４の内径側端縁部同志は互いに突合せ状に対向しており、該対向部位に形成される間隙に、無色透明な樹脂材で形成されたパイプ材１９が上下方向一体に配設されているが、該間隙にパイプ材１９に代えて透明のシーリング剤を充填したり、何ら配設することなく間隙のままの構成とすることもできる。
【００１６】
叙述の如く構成された本形態において、回転ドア装置１は、筒壁体２に囲繞される空間である出入り口部の天井部の軸芯部位と床部の軸芯部位とに位置して設けられ、回転自在な上下側支軸８、１２と、これら支軸８、１２と一体回転する上下側パネル支持体１４、９とを備えた上下側回転体ユニット１０、３と、前記上下側パネル支持体１４、９に上下縁部が支持されるパネル体４とを備えて構成されている。この結果、従来の回転ドア装置のように、出入り口部の空間にセンターコアが設けられることがなく、屋内外方向の見通しがよくなって、意匠性を高めることができる。そのうえ、このものでは、外径側縁部にも縦框が設けられていないので、屋内外方向の見通しをさらに優れたものにできるうえ、意匠性も優れたものにできる。
しかも、このものでは、出入り口部の上下部位にそれぞれ分断された別個の回転支軸８、１２を備えた回転体ユニット１０、３を設ける構成としたので、上下方向に長いセンターコアを出入り口部の天井部と床部とのあいだに設ける構成のもののように、建付け作業が面倒かつ困難でなく、作業性を向上させることができる。
【００１７】
さらにこのものでは、各パネル体４は、上下縁部の内径側部位に上下側支持受け体１６、１７が設けられ、これら上下側支持受け体１６、１７を、上下側回転ユニット１０、３のパネル連結片１６ｂ、１４ｂにそれぞれスライド嵌合させることで組み込む（取り付ける）ことができ、現場での取り付け工事をさらに簡単かつ容易にすることができる。
【００１８】
そのうえ、本実施の形態のパネル体４は、外径側縁部がガラス材４ａを切断した状態となっていて縦框が設けられない構成となっている。このため、屋内外方向の見通しがさらによいものになるうえ、意匠的にも優れたものにすることができる。
【００１９】
尚、本発明は前記実施の形態に限定されないことは勿論であって、図１５、１６に示す第二の実施の形態のように構成することもできる。
第二の実施の形態の回転ドア装置は、出入り口部を仕切る四枚のパネル体２０を構成するガラス材２０ａの外径側縁部に縦框２０ｂが一体的に設けられる構成となっており、これ以外は前記第一の実施の形態と同様の構成であり、出入り口部の中央にセンターコアが設けられることがなく、屋内外方向で見通しのよいものになっている。さらに、このものでは、各パネル体２０の縦框２０ｂの外径側端面に、先端が筒壁体２内周面に近接対向する状態でモヘア２１が設けられている。
【図面の簡単な説明】
【００２０】
【図１】図１（Ａ）、（Ｂ）はそれぞれ回転ドア装置の概略正面図、概略平面図である。
【図２】回転ドア装置の一部省略正面図である。
【図３】図３（Ａ）、（Ｂ）はそれぞれ支持プレートの平面図、縦断面図である。
【図４】図４（Ａ）、（Ｂ）はそれぞれ下側回転プレートに下側パネル支持体を組み込んだ状態の断面図、底面図である。
【図５】図５（Ａ）、（Ｂ）、（Ｃ）、（Ｄ）、（Ｅ）はそれぞれパネル支持体の正面図平面図、正面図、側面図、側面図である。
【図６】下側回転体ユニットを説明する分解斜視図である。
【図７】図７（Ａ）、（Ｂ）はそれぞれ下側回転体ユニットの一部断面正面図、側面断面図である。
【図８】図８（Ａ）、（Ｂ）、（Ｃ）はそれぞれ上側回転プレートの平面図、断面図、底面図である。
【図９】図９（Ａ）、（Ｂ）はそれぞれ上側回転プレートにパネル支持体を組み込んだ状態の断面図、平面図である。
【図１０】図１０（Ａ）、（Ｂ）、（Ｃ）はそれぞれパネル支持体の正面図、平面図、正面図である。
【図１１】上側回転体ユニットを説明する分解斜視図である。
【図１２】図１２（Ａ）、（Ｂ）はそれぞれ上側回転体ユニットの一部断面正面図、側面断面図である。
【図１３】図１３（Ａ）、（Ｂ）、（Ｃ）はそれぞれ下側支持受け体の断面図、断面図、底面（平面）図である。
【図１４】回転ドア装置のパネル体内径側部位を説明する平面図である。
【図１５】第二の実施の形態の回転ドア装置の概略正面図である。
【図１６】第二の実施の形態の回転ドア装置の一部平面断面図である。
【符号の説明】
【００２１】
１    回転ドア装置
２    筒壁体
３    下側回転体ユニット
４    パネル体
５    支持プレート
７    下側回転プレート
８    下側支軸
９    パネル支持体
１０    上側回転体ユニット
１１    上側回転プレート
１２    上側支軸
１３    電動モータ
１４    上側パネル支持体
１５    框材
１６    上側支持受け体
１７    下側支持受け体
【図１】
0004168392.tif 000002
【図２】
0004168392.tif 000003
【図３】
0004168392.tif 000004
【図４】
0004168392.tif 000005
【図５】
0004168392.tif 000006
【図６】
0004168392.tif 000007
【図７】
0004168392.tif 000008
【図８】
0004168392.tif 000009
【図９】
0004168392.tif 000010
【図１０】
0004168392.tif 000011
【図１１】
0004168392.tif 000012
【図１２】
0004168392.tif 000013
【図１３】
0004168392.tif 000014
【図１４】
0004168392.tif 000015
【図１５】
0004168392.tif 000016
【図１６】
0004168392.tif 000017